(57)【特許請求の範囲】
【請求項１】
分析用流路と前記分析用流路の長手方向に対して分析用電場を印加するための流路電極と、
前記分析用流路の長手方向に沿って前記分析用流路を挟む位置に配置され、前記流路電極の発生する電場とは交差するように電場を発生する交差電極を設け、
前記分析用流路は、サンプルを導入する導入部と、前記導入されたサンプルを泳動させる泳動部とを備え、前記泳動部の幅は前記導入部の幅より広く形成されていることを特徴とする電気泳動装置。
【請求項２】
請求項１記載の電気泳動装置において、前記交差電極は前記分析用流路の対向する両側壁面の全面に形成したことを特徴とする電気泳動装置。
【請求項３】
請求項１記載の電気で移動装置において、交差電極は極性を切り替えうるよう形成されたことを特徴とする電気泳動装置。
【請求項４】
請求項１記載の電気泳動装置において、サンプルを導入するための流路を前記分析用流路に交差するように設けたことを特徴とする電気泳動装置。
【請求項５】
一つの基板上に、請求項１記載の電気泳動装置を多数配置したことを特徴とする電気泳動装置。
【請求項６】
請求項１記載の電気泳動装置において、前記交差電極を分析用流路の長手方向の両側壁に複数個配置ことを特徴とする電気泳動装置。
【請求項７】
請求項４記載の電気泳動装置において、前記分析用流路の検知器を配置するところの間隔よりも、前記分析用流路始端に設けたサンプルを一時的に溜めておくためのサンプル溜めの配置間隔を広くしたことを特徴とする電気泳動装置。
【発明の詳細な説明】
【０００１】
【発明の属する技術分野】
本発明は生体中の蛋白質、ペプチド、アミノ酸、神経伝達物質、ホルモン、ＤＮＡ等や、環境、食品、薬品等に含まれる極微量物質の分析に用いられる電気泳動装置に関する。
【０００２】
【従来の技術】
従来の電気泳動装置として、「Ａ  ｍｏｄｅｌ  ｆｏｒ  ｔｈｅ  ｓｅｐａｒａｒｉｏｎ  ｏｆ  ｌａｒｇｅ  ＤＮＡ  ｍｏｌｅｃｕｌｅｓ  ｂｙ  ｃｒｏｓｓｅｄ  ｆｉｅｌｄ  ｇｅｌ  ｅｌｅｃｔｒｏｐｈｏｒｅｓｉｓ」（Ｓｏｕｔｈｅｒｎ，Ｅ．Ｍ．  ｅｔ．ａｌ  Ｎｕｃｌ．Ａｃｉｄｓ  Ｒｅｓ，１９８７，１５，５９２５−５９４３）に記載のものがある。この装置では、２方向の電場を、特定の時間間隔（パルスタイムまたはスイッチングタイムと呼ぶ）で交互にかける事によって、ＤＮＡを電気泳動させることによって、定常電場電気泳動法では分離する事が不可能であった長鎖ＤＮＡの分離が可能となる。装置の構成としては、電極を２対持ち、等しい電場強度、等しいパルスタイムで電場を交互にかけ、ＤＮＡがジグザグに進むようにする。結果として、ＤＮＡは２つの電場方向のなす角を２等分する方向に泳動し、分子量毎の分離が達成される。
【０００３】
また、従来の電気泳動装置として、特開平１１−６４２７８号公報に記載のものがある。この装置では、フォトファブリケーション技術を用いて分析用流路溝、サンプル注入用流路溝、及び泳動バッファ溜めを形成した基板と、泳動バッファ溜めに対応する位置に超音波加工により貫通穴を形成した別の基板を接合することで、プレート状部材を構成している。サンプル注入用流路両端の内壁及びその周辺に予め形成された電極に高電圧を印加して、電気泳動によりサンプルをサンプル注入用流路と分析用流路の交差部分に導く。その後、分析用流路に接続されている泳動バッファ溜めに位置する貫通穴の内壁及びその周辺に予め形成された電極に高電圧を印加して、分析用流路の両端に高電圧を印加することにより、分析対象物を分析用流路内で展開させる。展開された分析対象物は、外部からレーザ光を照射してその吸光度を測定する検知方法などにより検知される。
【０００４】
【発明が解決しようとする課題】
上記従来技術のうち、前者の装置で分析時間を短縮する場合、電極に印加する電圧を高くする事が考えられる。高電圧を印加した場合、電圧がかかる部分は抵抗となってジュール熱が発生し、発熱する。しかしながら、上記従来技術において、電圧がかかる泳動部分は平板によって挟まれた泳動担体部分である。この断面形状は、幅が非常に広い矩形となっているため、体積と表面積の比である、いわゆる比表面積が小さいので放熱性が悪い。従って、高電圧を印加する事は困難である。
【０００５】
放熱性を上げるためには比表面積を大きくする必要があり、このとき、泳動部分を各辺が等しいような矩形にすることが考えられる。このとき、パルスフィールドを発生させるための電極を従来例と同様に配置する事は困難である。また、数十ｃｍ程度の寸法を持ち、装置の大きさの点から、持ち運びに不便である。さらに、長いＤＮＡなどの長鎖高分子を分離する場合に、サンプルが長いものと短いものとで泳動速度が同等になってしまう状態が配慮されておらず、分離できない問題があった。
【０００６】
また、後者の従来技術では、分析精度を向上させるもので、分析時間に関しては何等考慮されていない。
【０００７】
本発明の目的は、長いＤＮＡなどの長鎖高分子を分子量毎に分離する、小型で分析時間の短い電気泳動装置を提供することにある。
【０００８】
【課題を解決するための手段】
上記課題は、流路に分析用サンプルを泳動させる流路電極に加えて、前記流路電極の発生する電場に対して交差する方向に電場を印加するための交差電極を設ける構成とした。
【０００９】
【発明の実施の形態】
以下、本発明の実施例を、図面に基づいて説明する。
【００１０】
図１は本発明で実現する電気泳動装置の第一の実施例の構成図であり、（Ａ）は電気泳動装置の概略斜視図、（Ｂ）は電気泳動装置主要部の分解概略斜視図である。
【００１１】
図１（Ａ）において、石英、パイレックス等のガラス、もしくはシリコン等の半導体材料、ＰＤＭＳ（ポリジメチルシロキサン）等の高分子を材料とする基板１に、分析用流路２が設けられ、流路の両端にはサンプルと泳動溶液を溜めるための溶液溜め３ａ、サンプルと泳動溶液の廃液を溜めるための廃液溜め３ｂが設けられている。予め、分析用流路２には、ゲルなどの分離担体が満たされている。分析用流路２は、流路幅が流路の一部分において広がっている形状のものが望ましい。
【００１２】
サンプルは泳動溶液と共に溶液溜め３ａに注入され、溶液溜め３ａと廃液溜め３ｂとに設けた流路電極４に電場を印加することによって分析用流路２に導入される。分析用流路２に導入されたサンプルは、流路電極４によって作られる電場と、分析用流路２の両側壁面、もしくは壁面の一部に設けられた、パルス電場を印加するための電極である壁面電極５（交差電極）によって作られる電場とによって電気泳動し、分離される。流路電極４と壁面電極５への電場の印加は、電源および電圧の大きさ、電圧を印加する時間、電圧の極性等を制御するコントローラを含めた電源装置６、７によって制御される。分離されたサンプルは検出器８によって検出されデータとして格納される。
【００１３】
基板１の作製法としては、前記基板材料の内、望ましくは透明性の高いガラスなどの材質を用いて、溶液溜め３ａ、３ｂに相当する貫通穴、および壁面電極５からの配線のための貫通穴５０が形成された無色透明な基板１ａと、前記基板材料を材質とする基板１ｂとを接合し、電気泳動用基板１を得る。溶液溜め３ａ、３ｂ、および貫通穴５０の加工法としては、放電加工が望ましい。特に、これら基板１ｂの構成要素の加工は、近年発達しているエッチングなどのマイクロファブリケーション技術を用いる。
【００１４】
図２及び図３は、本発明で実現する電気泳動装置による分析過程の動作例を示したもので有り、図２（Ａ）、図２（Ｂ）、図３（Ａ）、図３（Ｂ）順に動作している。
【００１５】
図２（Ａ）において、予めゲルなどの泳動担体が満たされた分析用流路２に対して、図示してはいない流路電極４に電圧を印加することで、分析用流路２長手方向と平行な電場Ｅ０を形成する。このとき、溶液溜め３ａからサンプルが分析用流路２内に導入される。電場Ｅ０は分析の時間中は常時、印加し続ける。
【００１６】
次に、図２（Ｂ）において、分析用流路２の長手方向に印加されている電場Ｅ０に加えて、分析用流路２の壁面の全面、あるいは壁面の一部に形成された壁面電極５ａと５ｂに電気を通じる事によって、電場Ｅ０に関して交差するような電場（横方向電場）Ｅｐｔを形成する。本実施例では、電場Ｅ０に対して直交するように電場Ｅｐｔを形成している。このとき分析用流路２内には、電場Ｅ０と電場Ｅｐｔとの合電場Ｅｔが形成される。サンプルは合電場Ｅｔから受ける電気的な力によって、分析用流路２の中を分析用流路２の長手方向に対してθｔの角度を持って電気泳動する。角度θｔは電場Ｅｐｔの大きさによって調節可能である。分析用流路２は、特に壁面電極５を設けた部分の流路において広い幅を持つので、サンプルは横方向へ泳動が可能となる。
【００１７】
次に、一定時間（上記パルスタイム）後、図３（Ａ）において、制御用電極５ａと５ｂの極性を逆にする事によって横方向電場の方向を逆に（電極の極性を逆に）する。これによって、電場ＥｐＲが形成され、分析用流路２内にＥ０との合電場ＥＲを形成し、分析用流路２の長手方向に対して図３（Ｂ）のようにθＲの角度で電気泳動させる。このとき、長いＤＮＡ程、より後方から新しい電場方向へ向かって泳動を開始する必要がある。このとき、ＤＮＡの長さの差が、正味の移動度（２つの電場方向のなす角を２等分する方向への移動度）の差に反映され、分離が行なわれる。
【００１８】
以後、電極の極性の切替えを上記パルスタイムの間隔で繰り返すことで分析用流路内を泳動させ、分析用流路２の末端にある図示しない検知器８にてデータを収集する。
【００１９】
２つの電場方向のなす角度は、望ましくは９０度以上である。９０度以下の場合、例えば塩基の数が１００万個以上のものでは、長いＤＮＡと短いＤＮＡの間に泳動速度の差が生じないので、分離は困難である。９０度以上のとき、電場方向を切り替えると、電場方向を切り替え前に後端だった方が泳動の先端部分となる。すると、長いＤＮＡ程、より後方から新しい電場方向へ向かって泳動を開始しなければならない。このとき、ＤＮＡの長さの差が、正味の移動度（２つの電場方向のなす角を２等分する方向への移動度）の差に反映され、分離が行なわれる。
【００２０】
本発明の具体的な構成の一例と作動例を示す。
【００２１】
分析用流路２の流路寸法は、溶液溜め３ａからすぐの場所と溶液溜め３ｂに続く細い場所で、幅１００μｍ、深さ２０μｍ、長さ１０ｍｍである。細い流路に接続する、パルス電場を印加する場所での流路寸法は、幅４００μｍ、深さ２０μｍ、長さ４０ｍｍである。
【００２２】
溶液溜め３ａあるいは３ｂより、分析用流路２内にポリアクリルアミドゲルを充填する。緩衝溶液は溶液溜め３ａ、３ｂを満たすように注入し、流路電極４が緩衝溶液と接触するようにする。サンプルとしては、例えばλＤＮＡ（１００ｋｂｐ前後、長さ約３０μｍ前後）を用いる。
【００２３】
流路電極４に、Ｅ０の電場場強度として１８０Ｖ／ｃｍを形成するために、Ｅ０の分析用流路２の長さである６ｃｍの分だけの、１ｋＶの高電圧を印加する。２方向の電場のなす角度としては、分析用流路２の長手方向に対してθｔ＝θＲ＝６０度である１２０度の角度を形成させる。横方向電場ＥｐＲまたはＥｐｔは、３平方の定理より、Ｅ０の大きさの３１／２倍の大きさの電場、すなわち分析用流路長手方向に対して直角に３００Ｖ／ｃｍの電場を形成しなければならない。
【００２４】
従って、壁面電極５には横方向電場ＥｐＲまたはＥｐｔの分析用流路幅の４００μｍの分だけの、１２Ｖの電圧を印加する。このとき２つの合電場の大きさは、Ｅｔ＝ＥＲ＝３６０Ｖ／ｃｍである。ポリアクリルアミドゲル中でのλＤＮＡの泳動速度は、２．５ｘ１０￣５ｃｍ２／Ｖ／秒程度である。この電場強度のもとでは、長さ約３０μｍのλＤＮＡが、電場方向が切り替わることにより、電場方向を切り替え前に後端だった部分が泳動の先端部分になるまで、０．３〜０．４秒を要する。従って、壁面電極５の極性の切り替え時間間隔は、この時間間隔を含むようにパルスタイムを選び、０．５〜１秒程度とする。壁面電極５に対してパルス電場を印加するための極性の制御は、集積回路による制御系を半導体リレーによるスイッチ回路に接続した電源装置７によって行われる。
【００２５】
本発明は上記のような実施例の構造にすることにより、以下のような効果を奏する。
【００２６】
従来のパルス電場を印加する事によって分離する電気泳動装置においては、２対の電極に、電圧を印加するかしないかによって形成されていた。すなわち、サンプルを泳動させる電場Ｅｔを印加するためには、泳動部分に対して、電場Ｅｔのなす角に電極を配置しており、電場の方向のなす角度と電極の対の数が１対１対応している。従って、泳動させるための電場を調整する場合、まず電極の対の数を増やし、その対の中で印加する電極を選択し、さらにその電極に印加する電圧の大きを調整する必要があった。
【００２７】
本発明は従来と異なり、分析用流路をサンプルが検知器に向かって泳動させるための電場を発生させるための流路電極と、パルス電場を発生させるための壁面電極を独立にした。すなわち、サンプルを泳動させる電場Ｅｔをベクトル的に分解し、サンプルをサンプル溜めから検知器に泳動させるために印加する電場Ｅ０と、それと交差する方向に泳動させるための電場Ｅｐとに分けて、別個の電極によってそれぞれの電場を形成する構成とした。そのため、分離のためのパルス時間間隔、泳動方向等の設定は、壁面電極に印加する電圧Ｅｐのみを変化させればよいので、従来例に比べて調整が容易となる利点が生じる。
【００２８】
また、分析時間の短縮のためには電場の大きさを大きくする事が必要である。ところで、従来の技術では高電圧を印加する事が出来なかったが、本発明では、分析用流路の比表面積を大きくする事で高電圧を印加する事が可能となった。
【００２９】
さらに、パルス電場を印加するための電場を大きくしても分析用流路横方向が非常に狭い（分析流路は流路長さが数ｃｍ程度に対して、流路幅は１００μｍ以下が望ましい）ので、印加する電圧の大きさは流路電極に印加する電圧に比べて十分低くて良い。これにより、高電圧を一定の時間間隔で印加するためのスイッチ回路を含めた電源装置は、大型なものになってしまって不利であるが、低電圧でよいため、比較的小型で安価で製作できる。
【００３０】
第２の実施例として、図４にサンプル導入用流路を分析用流路に交差させる構成のものを示す。
【００３１】
図４において、図１と異なる点は、サンプルを注入するサンプル溜め３ｃ、その廃液を溜めるサンプル廃液溜め３ｄ、及びサンプル溜め３ｃとサンプル廃液溜め３ｄを結ぶサンプル導入流路２ａを、分析用流路２に直角に交わるように追加した点である。その他の部分、およびサンプル導入用流路等の制作方法は、図１と同じである。
【００３２】
本実施例では、溶液溜め３ａには泳動溶液のみを注入する。次に、サンプル溜め３ｃとサンプル廃液溜め３ｄに、図示しない補助流路電極を差込む。そして、サンプルをサンプル溜め３ｃに注入し、補助流路電極に電圧を印加し、サンプル導入用流路２ａに電界を発生させる。その電界により、サンプルをサンプル溜め３ｃからサンプル廃液溜め３ｄに向かって、サンプル導入用流路２ａに導入し、サンプルが分析用流路２との交差部を通過するようにする。サンプルが分析用流路２とサンプル導入用流路２ａの交差部を通過した時点で、補助流路電極に印加した電圧を切断し、先の実施例と同様に、溶液溜め３ａと廃液溜め３ｄに設けた流路電極４に電圧をかけて泳動を開始する。以降は先の実施例に示した通りに分析が行なわれる。
【００３３】
先に示した実施例では、溶液溜め３ａに注入されたサンプルの全てが分析用流路２に泳動する事になる。このとき、分析用流路２の長手方向に関して、サンプルの分離が終了する前に検知器８にまで泳動するような距離となる場合がある。本実施例では、分析用流路２の長手方向の長さを、少なくてもサンプル導入用流路２ａの長さの（１／２）分は、分析用流路２の長さを短くすることができる。このとき、分析が早く終了することになるので、分析時間の短縮の利点が生じる。また、分析が早く終了するということは、すなわち短い分析用流路２で済み、分析用流路２方向の短縮化が可能となるので、装置全体の小型化の利点が生じる。
【００３４】
第３の実施例として、図５に、多数のサンプルを一度に分析するために、複数のサンプル溜め、廃液溜め、及び分析用流路を複数本平行に基板上に配置した電気泳動装置を示す。
【００３５】
従来は、平板の上方の一端のゲルなどの泳動担体の一部をくり貫いたウェルと呼ばれる部分にサンプルを注入していた。しかし、ウェルの間隔は数ｃｍが限界であり、装置全体の小型化のためにウェルの間隔を狭めようとしても困難が生じた。ウェル作製に関して、エッチングなどのマイクロファブリケーション技術を適用する事は困難である。すなわち、ゲルなどの泳動担体にエッチング等のマイクロファブリケーション技術によって構造体を作製する事は困難である。
【００３６】
一方、本発明によれば、マイクロファブリケーション技術を用いてサンプルを注入する部分を製作するため、マイクロメートル程度の間隔で製作する事が可能となる。サンプルを溜める部分に対してマイクロファブリケーション技術を適用することは、本発明の構成をとることで初めて可能となり、大幅な小型化が可能となる利点が生じる。
【００３７】
このとき、隣り合った流路において壁面電極５を共有することができる。従って、最初の実施例で示した構成の分析用流路２を単純に並べた場合に比べて電極の数を減らす事が出来るので、小型化が可能となる利点がある。各壁面電極５からの配線は、同じ電源装置７に接続すればよいので、電源装置の個数は増えない。
【００３８】
さらに、サンプル溜め３ａと廃液溜め３ｂを分析用流路２の間隔よりも若干広げた形にする事が望ましい。サンプル溜め３ａと廃液溜め３ｂの間隔を広げる事で、場所的に余裕が生じ、サンプルの注入、廃棄、電極の挿入等に関して、作業性が良くなる利点が生じる。また、廃液溜め３ｂの間隔を広げる前の分析用流路２の間隔が狭い場所に検知器８を設ける事が望ましい。このとき、検知器８がレーザを照射しつつ分析用流路２に関して直角方向にスキャンする場合、スキャンする領域が狭くなる利点が生じる。また、スキャン時間、すなわち検知時間の短縮化の利点も生じる。
【００３９】
図６に第４の実施例の平面図を示す。本実施例では、溶液溜め３ａ、廃液溜め３ｂと分析用流路２ｄに接続する細い流路２ｂ、２ｃを特定の角度で屈曲させて設けてある。また、壁面電極５を分割して多数配置した構成とした。本図では、小型壁面電極５１０〜５１５、５２０〜５２５としてある。製作方法は、先の実施例と同じである。
【００４０】
小型壁面電極５１０〜５１５、５２０〜５２５は、電圧の極性を制御するコントローラを含めた電源装置７０に接続されている。この構成では、各電極毎に独立に電圧を印加することが可能である。従って、分析用流路２ｄ内で場所によって電場の方向、強度に変化を付けることができる。
【００４１】
本実施例では、分析前のキャリブレーションの段階で、分離しやすいものを分析用流路２の手前側で分離し、分析用流路２の末端に行くに従って分離しにくいものを分離するような電場を形成する方法に調整しておくことが可能となる。又本実施例のように、溶液溜め３ａ、廃液溜め３ｂと分析用流路２ｄに接続する細い流路２ｂ、２ｃを分析用流路２ｄに対して特定の角度で屈曲させておけば、分析用流路２ｄへ流入する流れ方向が変化しているため分離効果が大きい。予め、キャリブレーションの結果に基づいて、流路電極４と左右の壁面電極どの電極間に電圧を加えればよいか設定しておくことも可能である。
【００４２】
本実施例において、例えば、サンプルとして、長さの十分短い高分子から、長さの十分長い高分子が含まれている場合、長さの短い高分子に関しては、交差する電場の角度を９０度以上にしなくても、その中の長さの違いによって泳動速度に違いが生じる。このため、分析用流路２の前段階では、例えば壁面電極５１０と５２２間に電圧を印加する事で、９０度以下の電場を形成しサンプルを早く泳動させ、その間に短い高分子を分離させる。その後、例えば壁面電極５１２と５２４に電圧を印加して、分析用流路後端に近づいた領域では９０度以上の電場を発生させる。これによって、長さの長いサンプルを分離することができる。
【００４３】
従って、どのような長さのサンプルでも、分析時間を最適に設定し、高感度に検出する事が可能となる。また、短いＤＮＡの分離に対して、従来例の分析用流路２の長手方向のみの直線的な電気泳動による分離とは異なり、分析用流路２の中を長手方向に対して斜めに電気泳動するので、同じ長さの分析用流路２を用いた場合でも、ＤＮＡが泳動する距離は長くなる。従って、分析用流路２の長さを短くする利点が生じる。
【００４４】
本実施例による具体的な構成の一例と作動例を示す。
【００４５】
分析用流路２の流路寸法は、溶液溜め３ａからすぐの場所と廃液溜め３ｂに続く細い流路２ｂ、２ｃは、幅１００μｍ、深さ２０μｍ、長さ５ｍｍである。パルス電場を形成する場所での流路寸法は、幅４００μｍ、深さ２０μｍ、長さ５０ｍｍである。
【００４６】
溶液溜め３ａあるいは廃液溜め３ｂより、分析用流路２内にポリアクリルアミドゲルを充填する。緩衝溶液は溶液溜め３ａ、廃液溜め３ｂ、分析用流路２を満たすように注入し、流路電極４が緩衝溶液と接触するようにする。サンプルとしては、例えばλＤＮＡ（１００ｋｂｐ前後、長さ約３０μｍ前後）を用いる。
【００４７】
流路電極４に、分析用流路２のうちで細い部分に強度１８０Ｖ／ｃｍのパルス電場を形成するために、分析用流路２の長さである５ｍｍの分だけの９０Ｖの電圧を流路電極４ａと小型壁面電極５１０の間に印加する。分離用流路２のうちで幅の細い部分２ｂ、２ｃと広い部分２ｄのなす角をφｔ＝φＲ＝７０度とすると、分析用流路２の細い部分２ｂ、２ｃと小型壁面電極５１０と５２０のなす角が９０度以上になる。
【００４８】
サンプルが、分析用流路２のうちで幅の広い部分に導入された時点で、印加する電極を４ａと小型壁面電極５１０の間から、小型壁面電極５１０と５２０の間に切り替える。印加電圧は、強度が１８０Ｖ／ｃｍのパルス電場を形成するために、分析用流路２の幅である４００μｍの分だけの７Ｖの電圧を印加する。ある一定の時間（パルスタイム）の後、印加する電極を小型壁面電極５１０と５２０の間から、５２０と５１１の間に切り替える。
【００４９】
この時、電極５１０と５２０に印加する事によって形成される電場と、電極５２１と５１１に印加する事によって形成される電場の、分析用流路２の長手方向になす角は１２０度となる。以降、次々と小型壁面電極間に電圧を印加する。最後は、小型壁面電極５２５と流路電極４ｂの間に９０Ｖの電圧を印加する。パルスタイムは０．８〜１秒程度である。各電極に対してパルス電場を印加するための極性の制御は、集積回路による制御系を半導体リレーによるスイッチ回路に接続した電源装置７０によって行われる。
【００５０】
なお、本実施例ではサンプル溜め３ａと分析用流路２ｄとの間の流路２ｂ、及び分析用流路３ｂと廃液溜め３ｂとの間の流路を傾斜を設けて接続する構成としているが、図１と、同じ構成として、本実施例のように、左右の壁面に設けた電極のみを複数分割して、それぞれの電極に独立して電圧を印加する構成としても、本実施例と略同様の効果を得ることができることは言うまでもない。
【００５１】
【発明の効果】
分析用流路と分析用流路に関して流路長手方向に関して交差する電場を印加するための電極とを微小基板上に形成する事で、分析時間の短い小型の電気泳動装置を提供する事が可能となる。
【図面の簡単な説明】
【図１】本発明の一実施例を示す構成概略分解斜視図である。
【図２】本発明の分析用流路でのサンプル分離の状態の様子を示す説明図である。
【図３】図２の続きのサンプル分離の状態の様子を示す説明図である。
【図４】本発明の別の電気泳動装置の構成図である。
【図５】本発明の別の電気泳動装置の構成図である。
【図６】本発明の別の電気泳動装置の構成図である。
【符号の説明】
１、１ａ、１ｂ…基板、２…分析用流路、３ａ…溶液溜め、３ｂ…廃液溜め、４ａ、４ｂ…流路電極、５ａ〜５ｂ…壁面電極、８…検知器系。
【図１】
0003633439.tif 000002
【図２】
0003633439.tif 000003
【図３】
0003633439.tif 000004
【図４】
0003633439.tif 000005
【図５】
0003633439.tif 000006
【図６】
0003633439.tif 000007